(57)【要約】【課題】本願明細書において開示される方法、組成および装置は、核酸の配列決定のために有用である。【解決手段】本方法は、ＤＮＡまたはＲＮＡポリメラーゼまたは類似の合成試薬を用いた、１つ以上の核酸鋳型分子の単離と、核酸の発生期の相補鎖のポリメリゼーションを含む。発生期の鎖は、1度に１個のヌクレオチドによって延長されるので、溶液からのヌクレオチド前駆体の消失が、ラマン分光法またはＦＲＥＴによって監視される。発生期の鎖の核酸配列および鋳型鎖の相補配列は、重合反応の間、ヌクレオチド前駆体の取込みの順番を追跡する事によって決定され得る。所有権を主張する方法の実施における使用の際に、特定の実施形態は、反応室および検出ユニットを備える装置に関する。本方法、構成要素および装置は、単一のシークエンシング反応において非常に長い核酸鋳型をシークエンシングする際に有用である。【特許請求の範囲】
【請求項１】
ａ）固定化表面に付着する１つ以上の核酸分子を格納する反応室と、
ｂ）励起源とラマン検出器とを備える検出ユニットと
を備える、装置。
【請求項２】
前記反応室が、固定化表面に付着した単一の核酸分子を備える、請求項１に記載の装置。
【請求項３】
前記反応室が、銀、金、白金、銅またはアルミニウムのメッシュを備える、請求項１に記載の装置。
【請求項４】
分子ディスペンサを更に備える、請求項１に記載の装置。
【請求項５】
情報処理・制御システムを更に備える、請求項１に記載の装置。
【請求項６】
データ記憶装置を更に備える、請求項５に記載の装置。
【請求項７】
前記反応室と前記分子ディスペンサが、統合したチップの部品である、請求項４に記載の装置。
【請求項８】
（ｉ）ヌクレオチド前駆体、（ｉｉ）合成試薬、および（ｉｉｉ）１つ以上のプライマを更に備える、請求項２に記載の装置。
【請求項９】
前記励起源がレーザである、請求項１に記載の装置。
【請求項１０】
前記ラマン検出器が、分光計またはモノクロメータである、請求項１に記載の装置。
【請求項１１】
ａ）合成試薬と、ヌクレオチド前駆体と、固定化表面に付着する単一の鋳型核酸分子とを備える反応質と、
ｂ）励起源とラマン検出器とを備える検出ユニットと
を備える、装置。
【請求項１２】
プライマを更に備える、請求項１１に記載の装置。
【請求項１３】
分子ディスペンサを更に備える、請求項１１に記載の装置。
【請求項１４】
情報処理・制御システムを更に備える、請求項１１に記載の装置。
【請求項１５】
前記反応室が、銀、金、白金、銅またはアルミニウムのメッシュを備える、請求項１１に記載の装置。
【請求項１６】
前記反応室および前記分子ディスペンサが、統合したチップの部品である、請求項１３に記載の装置。
【請求項１７】
前記励起源がレーザである、請求項１１に記載の装置。
【請求項１８】
前記ラマン検出器が、分光計またはモノクロメータである、請求項１１に記載の装置。
【請求項１９】
核酸分子をシークエンシングする方法であって、
ａ）単一の鋳型核酸分子を調製するステップと、
ｂ）前記鋳型核酸分子を反応室に導入するステップと、
ｃ）合成試薬中のヌクレオチド前駆体から相補の核酸分子を合成するステップと、
ｄ）ラマン分光法によって前記相補の核酸分子へのヌクレオチド前駆体の取込みの順序を監視するステップと
を備える、方法。
【請求項２０】
標識分子が、前記ヌクレオチド前駆体のそれぞれに接続される、請求項１９に記載の方法。
【請求項２１】
前記ヌクレオチドが、表面増強ラマン散乱、表面増強共鳴ラマン散乱、誘導ラマン散乱、逆ラマン、誘導ゲイン・ラマン分光法、ハイパーラマン散乱、またはコヒーレント反ストークスラマン散乱によって監視される、請求項１９に記載の方法。
【請求項２２】
前記合成試薬がＤＮＡポリメラーゼである、請求項１９に記載の方法。
【請求項２３】
プライマを添加するステップを更に備え、
前記プライマが、前記鋳型核酸分子の一部に対してその配列が相補的である、請求項２２に記載の方法。
【請求項２４】
前記プライマが、前記鋳型核酸分子の５’末端に対して相補的である、請求項２３に記載の方法。
【請求項２５】
前記鋳型核酸分子が、固定化表面に付着される、請求項１９に記載の方法。
【請求項２６】
前記鋳型核酸分子が、リンカー・アームで固定化表面に付着される、請求項２５に記載の方法。
【請求項２７】
前記プライマが、固定化表面に付着される、請求項２３に記載の方法。
【請求項２８】
核酸分子をシークエンシングする方法であって、
ａ）単一の鋳型核酸分子を調製するステップと、
ｂ）前記鋳型核酸分子を反応室に導入するステップと、
ｃ）合成試薬中のヌクレオチド前駆体から相補の核酸分子を合成するステップと、
ｄ）蛍光共鳴エネルギー転移（ＦＲＥＴ）分光によって、前記相補の核酸分子へのヌクレオチド前駆体の取込みの順序を監視するステップと
を備える、方法。
【請求項２９】
ドナー標識分子が前記合成試薬に付着し、識別可能なアクセプタ標識分子がヌクレオチド前駆体のそれぞれの型に付着する、請求項２８に記載の方法。
【請求項３０】
１つ以上のドナー標識分子が前記鋳型核酸分子に付着し、識別可能なアクセプタ標識分子がヌクレオチド前駆体のそれぞれの型に付着する、請求項２８に記載の方法。
【発明の詳細な説明】
【技術分野】
【０００１】
本方法、構成要素および装置は、分子生物学およびゲノム解析の分野に関する。より詳細には、開示された方法、構成要素および装置は、核酸シークエンシングに関する。
【背景技術】
【０００２】
ヒトゲノム解析計画の出現によって、核酸（例えばデオキシリボ核酸（ＤＮＡ）およびリボゾームリボ核酸（ＲＮＡ））をシークエンシングするための改良された方法が開発される事が必要とされてきた。遺伝情報は、染色体に形成されるＤＮＡの非常に長い分子の形で格納される。ヒトゲノムの２３組の染色体は、約３０億の塩基対を含むＤＮＡの塩基配列である。このＤＮＡの塩基配列情報は、各々の個体の特性（例えば、身長、目の色、および民族性）を決定する。多くの普通の疾患、例えばガン、嚢胞性繊維症、鎌状赤血球貧血および筋ジストロフィーは、少なくともその一部がＤＮＡの塩基配列の相違に基づく。
【発明の開示】
【発明が解決しようとする課題】
【０００３】
ヒトゲノムの全ての配列の決定によって、この種の疾患の遺伝子的な根拠を識別するための基盤が提供される。しかし、各々の疾患に伴う遺伝子の変異を識別するための多くの研究が未だ為されていない。従って、疾患を促進するＤＮＡの塩基配列の特定の変異を識別するために、この種の疾患を示す個人およびその家族の染色体の部分的なＤＮＡ塩基配列決定を必要とする。若干のケースにおいて、ＲＮＡ（遺伝情報を処理する為に必要な仲介用の分子）もまた、様々な疾患の遺伝子的な根拠を識別するためにシークエンスされ得る。
【０００４】
大きさに応じて切断され、蛍光性の標識を付された核酸の検出に基づく従来の核酸シークエンシングの方法は、シークエンシングされ得る核酸の長さによって制限される。一般的に、１回で決定され得る核酸配列は５００〜１０００の塩基のみである。これは、遺伝子と称されるＤＮＡの機能単位の長さ（通常はその数万〜数十万倍の塩基長）より非常に短い。従来の方法を用いる際、完全な遺伝子配列を決定する為に、多くの遺伝子を複製し、オーバーラップする断片へと切断し、そしてその後、オーバーラップしたＤＮＡ配列が完全な遺伝子へと構築される。このプロセスは、面倒で、高価で、非効率的で時間がかかる。
【発明を実施するための最良の形態】
【０００５】
添付の図面は、本願明細書の一部を形成し、特定の実施形態をより詳しく示すために備えられている。本願明細書において示される特定の実施形態の詳細な説明と共に図面を参照することによって、これらの実施形態がより良く理解され得る。
【０００６】
開示された方法、構成要素および装置は、核酸１３の高速かつ自動化されたシークエンシングにとって有用である。特定の実施形態において、本方法、構成要素および装置は、１０００を超える、２０００を超える、５０００を超える、１００００を超える、２００００を超える、５００００を超える、１０００００を超える、またそれ以上の非常に長い核酸１３の分子の配列を得るのに適している。様々な実施形態において、この種の配列情報は、鋳型核酸１３の１つの分子を用いて、単一のシークエンシングの実行の間に得られ得る。他の実施形態において、核酸１３の配列を確認する為に、または、完全な配列データを得るために、鋳型核酸分子１３の複数の複製が並列または直列にシークエンスされる。他の実施形態において、鋳型鎖１３およびその相補鎖は、配列情報の精度を確認するためにシークエンスされても良い。従来の方法と比較した場合の上記の方法による核酸１３のシークエンシングの効果として、１回のシークエンシング実行に際して長い核酸１３の配列を読む能力、配列データを得る際の速度の速さ、シークエンシング時のコストの減少、および１単位の配列データにつき必要なオペレータ時間量の効率の高さ、と言った事が挙げられる。
【０００７】
特定の実施形態において、シークエンシングされる核酸１３はＤＮＡである。但し、ＲＮＡまたは合成ヌクレオチド類似体を含む他の核酸１３が同様に配列され得ることが予期される。以下の詳細な説明は、開示された実施形態のより完全な理解を提供するために多数の具体的な詳細を含む。しかし、これらの具体的な詳細なしでこれらの実施形態が実施され得るという事は、当業者にとって明らかである。他の例において、本技術分野において公知である装置、方法、手順、および個々の構成要素は、本願明細書において詳述しなかった。
【０００８】
特定の実施形態が、図１において例示される。図１は、反応室１１および検出ユニット１２を含む核酸１３をシークエンスするための装置１０を示す。反応室１１は、例えばＤＮＡポリメラーゼのような合成試薬１５中に、固定化表面１４に付着した核酸分子（鋳型鎖）１３を備える。鋳型分子１３に対して配列が相補的であるプライマ分子１６は、鋳型分子１３にハイブリダイズされ得る。ヌクレオチド前駆体１７は、反応チャンバ１１の溶液中に存在する。発生期のＤＮＡ鎖１６の合成のために、ヌクレオチド前駆体１７は、５’−デオキシアデノシン三リン酸（ｄＡＴＰ）、５’−デオキシグアノシン三リン酸塩（ｄＧＴＰ）、５’−デオキシシチジン三リン酸塩（ｄＣＴＰ）、および５’−デオキシチミジン三リン酸塩（ｄＴＴＰ）のそれぞれの少なくとも１つの分子を含む必要がある。発生期のＲＮＡ鎖１６の合成のためには、ヌクレオチド前駆体１７は、ＡＴＰ、ＣＴＰ、ＧＴＰおよび５’−ウリジン三リン酸塩（ＵＴＰ）を含む必要がある。
【０００９】
シークエンシング反応を開始する際、ポリメラーゼ１５は、一度にプライマ１６の３’末端に１個のヌクレオチド前駆体分子１７を加え、プライマ分子１６を延長する。プライマ分子１６が延長されるので、これは発生期の鎖１６と称される。延長のそれぞれの段階において、１個のヌクレオチド前駆体１７が、発生期の鎖１６に組み込まれる。ヌクレオチド前駆体１７の取り込みは、鋳型鎖１３とのワトソン−クリック塩基対の相互作用によって決定されるので、発達する発生期の鎖１６の配列は、鋳型鎖１３の配列に対して相補的である。ワトソン‐クリック型塩基対において、１つの鎖上のアデノシン（Ａ）残基は、常に他の鎖のチミジン（Ｔ）残基とペアとなる（鎖がＲＮＡである場合はウリジン（Ｕ）残基とペアとなる）。同様に、１つの鎖上グアノシン（Ｇ）残基は、常に他の鎖のシトシン（Ｃ）残基とペアとなる。このように、鋳型鎖１３の配列は、発生期の鎖１６の配列から決定され得る。
【００１０】
図１は、単一の核酸分子１３が単一の反応室１１に含まれる実施形態を示す。他の実施形態において、複数の核酸分子１３が別々の反応室１１のそれぞれにおいて同時にシークエンシングされても良い。このような場合、各々の反応室１１の核酸鋳型１３は、同一でもよいし、異なっていても良い。更に他の実施形態において、２つ以上の鋳型核酸分子１３が単一の反応室１１に存在しても良い。このような実施形態において、核酸分子１３の配列は同一である。複数の鋳型核酸１３が反応室１１に存在する際、ラマン発光信号は、反応室１１の全ての発生期の鎖１６に組み込まれる核酸前駆体１７の平均を表す。当業者は、公知のデータ分析技術を用いて、反応室１１で発生している大多数の反応に先行するかまたは遅延している合成反応によって任意の時間において取得される信号を修正する事が出来る。
【００１１】
当業者は、使用するポリメラーゼ分子１５に応じて、発生期の鎖１６の誤った組み合わせが若干パーセンテージ存在し得ると理解し、そこにおいて新しく取り入れられる塩基は、鋳型鎖１３の対応する塩基に正しく水素結合されない。様々な実施形態において、少なくとも９０％、少なくとも９５％、少なくとも９８％、少なくとも９９％、少なくとも９９．５％、少なくとも９９．８％、少なくとも９９．９％、あるいはそれ以上の精度が得られ得る。当業者は、特定のポリメラーゼ１５が、誤って鋳型鎖１３に対して誤った塩基対として新しく取り込まれたヌクレオチド前駆体１７を取り除くために作用するエラー訂正機構（また、３’エキソヌクレアーゼまたはプルーフリーディング機構）を有するという事を認知している。様々な実施形態において、プルーフリーディング機構を有するまたは有さないポリメラーゼ１５が使用され得る。また、当業者は、特定のポリメラーゼ１５（例えばリバーストランスクリプターゼ）が本質的に高いエラー率を有し、そして、組み合わせの誤った塩基が頻繁に取り込まれてしまう、と言う事を認知している。実施形態に応じて、より高い／またはより低い固有のエラー率を有するポリメラーゼ１５が選定され得る。特定の実施形態において、可能な限り最も低いエラー率を有するポリメラーゼ１５が使用され得る。ポリメラーゼ１５のエラー率は公知である。
【００１２】
検出ユニット１２は、例えばレーザのような励起源１８と、ラマン分光検出器１９とを備える。励起源１８は、反応室１１を励起ビーム２０で照射する。励起ビーム２０はヌクレオチド前駆体１７と相互に作用する。そして、電子が高エネルギー状態へと励起される。電子が下位のエネルギー状態へ戻るにつれて、これらは、ラマン検出器１９によって検出されるラマン発光信号を発する。ヌクレオチド前駆体１７の各々の４つの型のラマン発光信号は区別され得るので、検出ユニット１２は、反応室１１内のヌクレオチド前駆体１７のそれぞれの型の量を計量することが出来る。
【００１３】
発達する発生期の鎖１６へのヌクレオチド前駆体１７の取り込みによって、反応室１１からヌクレオチド前駆体１７が減少する。合成反応の継続のために、新しいヌクレオチド前駆体１７の供給が必要であり得る。この供与源は、分子ディスペンサ２１として図１に示される。別の実施形態において、分子ディスペンサ２１は、シークエンシング装置１０の一部であっても良いし、そうでなくても良い。
【００１４】
特定の実施形態において、分子ディスペンサ２１は同等の量の４種のヌクレオチド前駆体１７をリリースするように設計されている。そして、発生期の鎖１６の合成の速度に調整される。しかし、核酸１３が、必ずしもＡ、Ｔ、ＧおよびＣ残基が一様に分布しているとは限らない。具体的には、ＤＮＡ分子の特定の領域は、該ＤＮＡが得られる生物種や配列されるＤＮＡ分子の特定の領域に依存して、ＡＴリッチでも有り得るし、またＧＣリッチでも有り得る。他の実施形態において、分子ディスペンサ２１からのヌクレオチド前駆体１７のリリースが制御され、その結果、ヌクレオチド前駆体１７の各々の型の比較的安定した濃度が反応室１１において維持される。この種の実施形態は、検出ユニット１２と分子ディスペンサ２１との間に接続される情報処理・制御システムを使用し得る。
【００１５】
例えば、データ記憶装置と接続されているか、またはデータ記憶装置を組み込んでいるコンピュータまたはマイクロプロセッサのような情報処理・制御システムを備える実施形態において、データは検出器１９（例えば分光計またはモノクロメータ・アレイ）から集められて良い。情報処理・制御システムは、特定のラマン・シグニチャを特定のヌクレオチド前駆体１７と関連させているデータベースを維持し得る。情報処理・制御システムは、検出器１９によって検出されるシグニチャを記録することが出来、これらのシグニチャを既知のヌクレオチド前駆体１７のシグニチャに関連付ける事が出来る。また、情報処理・制御システムは、鋳型分子１３の配列を示すヌクレオチド前駆体１７の取込みの記録を維持することが出来る。更に、情報処理・制御システムは、公知の標準的な手順（例えばバックグラウンド信号の減算）を実行することが出来る。
【００１６】
分子ディスペンサ２１を備える実施形態において、反応室１１へのヌクレオチド前駆体１７の追加およびそれと同時のヌクレオチド前駆体１７の発生期の鎖１６への取り込みによって、ラマン信号は複雑な値を取り得る。特定の実施形態において、追加のヌクレオチド前駆体１７が反応室１１に加えられる前に、合成反応が終わりまで行われても良いし、ほぼ終わりまで行われても良い。他の実施形態において、反応室１１へのヌクレオチド前駆物質１７の追加が、発生期の鎖１６のヌクレオチド前駆物質１７の取り込みと同時に行われても良い。このような実施形態において、情報処理・制御システムは、分子ディスペンサ２１によって加えられたヌクレオチド前駆体１７の量に対して、ラマン発光スペクトルから得られたヌクレオチド前駆体１７の濃度に関するデータを修正するために使用されてもよい。
【００１７】
特定の実施形態において、反応室１１はヌクレオチド前駆体１７の各々の型の１個ずつの分子を含んで良い。このような実施形態において、必要なヌクレオチド前駆体１７の欠乏に起因する合成反応の遅延を避けるために、分子ディスペンサ２１からのヌクレオチド前駆体１７のリリースは、発生期の鎖１６へのヌクレオチド前駆体１７の取り込みにきちんとリンクされていて良い。
【００１８】
特定の実施形態は、ＤＮＡの発生期の鎖１６の合成に関する。鋳型鎖１３は、ＲＮＡまたはＤＮＡのいずれかで有って良い。ＲＮＡ鋳型鎖１３の際、合成試薬１５は、リバーストランスクリプターゼ（公知）であって良い。鋳型鎖１３がＤＮＡの分子である実施形態において、合成試薬１５は、ＤＮＡポリメラーゼ（公知）であって良い。
【００１９】
他の実施形態において、発生期の鎖１６は、ＲＮＡの分子であって良い。この場合、合成試薬１５はＲＮＡポリメラーゼである必要がある。これらの実施形態において、プライマ１６は必要で無い。しかし、鋳型鎖１３は、ＲＮＡポリメラーゼ１５をバインドしてＲＮＡの発生期の鎖１６の転写を開始するのに効果的であるプロモーター配列を含まなければならない。プロモーター配列の正確な組成は、使用するＲＮＡポリメラーゼ１５の型に依存する。転写の効率的な開始を考慮に入れるプロモーター配列の最適化は、従来技術の範囲内である。本実施形態は、使用する鋳型分子１３、合成される発生期の鎖１６の型または利用されるポリメラーゼ１５の型に関して制限されない。実質的に、鋳型鎖１３の配列に相補的な核酸分子１６の合成をサポートし得る任意の鋳型１３、および任意のポリメラーゼ１５が使用され得る。
【００２０】
他の幾つかの実施形態において、ヌクレオチド前駆体１７は、標識によって化学的に修飾され得る。標識は、一般のヌクレオチド前駆体１７の各種類を区別する事が可能であるユニークかつ高い可視光性を持つシグニチャを有する。特定の実施形態において、標識はラマン発光信号を増強するのに、またヌクレオチド前駆体１７に対するラマン検出器１９の感度または選択性を増強させるのに寄与する。ラマン分光を含む実施形態において使用され得る標識分子の例は、ＴＲＩＴ（イソチオシアン酸テトラメチルローダミン）、ＮＢＤ（７−ニトロベンゾ−２−オキサ−１，３−ジアゾール）、テキサスレッド染料、フタール酸、テレフタル酸、イソフタル酸、クレシルファーストバイオレット染料、クレシルブルーバイオレット染料、ブリリアントクレシルブルー染料、パラアミノ安息香酸、エリトロシンおよびアミノアクリジンを含むが、標識分子の実施形態は上記のものに限定されない。特定の実施形態における使用に供し得る他の標識部分は、シアン化物、チオール、塩素、臭素、メチル、リンおよび硫黄を含む。特定の実施例において、カーボンナノチューブが、ラマン標識として使用されて良い。ラマン分光における標識の使用は、公知である（例えば米国特許第５３０６４０３号および第６１７４６７７号）。当業者は、異なるヌクレオチド前駆体１７にバインドされた場合に、または一種類のヌクレオチド前駆体１７のみをバインドするために異なる標識が設計されているべき場合に、ラマン標識が識別可能なラマン・スペクトルを生成するべきである事を理解するであろう。
【００２１】
幾つかの実施例においては、標識は増強ラマン信号を発する。他の実施形態において、蛍光信号や発光信号のような他の種類の信号を発する標識が使用され得る。他の検出方法が、この種の実施例（例えば蛍光分光または発光分光）において使用され得る、と言う事が予期される。溶液中のヌクレオチド前駆体１７の検出の多くの他の方式は公知である。この種の方法に際し、ラマン分光器の検出器１９は、蛍光、発光または他の公知の種類の信号を検出するために設計されている検出器１９と交換されても良い。
【００２２】
特定の実施形態において、鋳型分子１３は、界面１４に付着され得る。界面１４は、例えば機能性ガラス、シリコン、ＰＤＭＳ（ポリジメチル・シロキサン）、銀または他の金属で被覆された界面、石英、プラスチック、ＰＴＦＥ（ポリ四フッ化エチレン）、ＰＶＰ（ポリビニルピロリドン）、ポリスチレン、ポリプロピレン、ポリアクリルアミド、ゴム乳液粒子、ナイロン、ニトロセルロース、ガラスビーズ、磁性ビーズ、または、例えばアミン、カルボキシル、チオール、ヒドロキシルまたはディールス‐アルダー反応物のようなの官能基を界面に取り込む事が可能な当技術において公知の他の任意の材料である。
【００２３】
幾つかの実施例において、鋳型鎖１３およびポリメラーゼ１５間のバインディングの相互作用が立体障害無しで発生するように、官能基が共有結合で架橋剤に付着しても良い。代表的な架橋基は、エチレングリコール・オリゴマおよびジアミンを含む。付着は共有結合であっても良いし、非共有結合であっても良い。核酸分子１３を界面１４に付着させる様々な方法が公知であり、本発明に使用され得る。
【００２４】
（単語の定義）
本願明細書において用いられる「１」、「１つの」と言う単語は、「１つ以上」という事を意味する。
【００２５】
「核酸」１３は、任意の化学修飾が施された一本鎖、二本鎖、三本鎖のＤＮＡまたはＲＮＡのいずれかを意味するが、一本鎖の核酸１３である事が好ましい。実質的に、核酸１３の任意の修飾が予期される。本願明細書において使用されるように、一本鎖の核酸１３は、接頭辞「ｓｓ」によって表され得、二本鎖の核酸は接頭辞「ｄｓ」によって表され得、三本鎖の核酸は「ｔｓ」によって表され得る。
【００２６】
「核酸」１３の長さは、１０、２０、３０、４０、５０、６０、７５、１００、１２５、１５０、１７５、２００、２２５、２５０、２７５、３００、４００、５００、６００、７００、８００、９００、１０００、１５００、２０００、２５００、３０００、３５００、４０００、４５００、５０００、６０００、７０００、８０００、９０００、１００００、１５０００、２００００、３００００、４００００、５００００、７５０００、１０００００、１５００００、２０００００、５０００００、１００００００、１５０００００、２００００００、５００００００、それ以上、または、ノーカットの染色体ＤＮＡ分子１３までの、ほとんど任意の長さを取り得る。
【００２７】
「ヌクレオシド」は、デオキシリボース、ペントース糖のリボースまたは類似体または誘導体のようなペントース糖に共有結合される塩基（Ａ、Ｔ、Ｇ、ＣまたはＵ）を有する分子である。
【００２８】
「ヌクレオチド」は、ペントース糖に共有結合で付着する少なくとも１つのリン酸基を更に備えるヌクレオシドを表す。幾つかの実施例において、ヌクレオチド前駆体１７は、リボヌクレオシド三リン酸塩またはデオキシリボヌクレオシド三リン酸である。これらがポリメラーゼ１５によって発生期の鎖１６に取り込まれ得る限り、様々な代替または修正がヌクレオチド前駆体１７の構成になされ得る事が予期される。例えば、特定の実施形態において、リボースまたはデオキシリボース成分は、他のペントース糖またはペントース糖の類似体によって置換され得る。他の実施形態において、リン酸基は様々な基（例えばホスホン酸エステル、硫酸塩またはスルホン酸エステル）によって置換され得る。さらに他の実施形態において、発生期の鎖１６に取り込まれるヌクレオチド前駆体１７の配列が鋳型鎖１３の配列を反映している限りにおいて、プリンまたはピリミジン塩基は他のプリンまたはピリミジンまたはその類似体によって置換され得る。
【００２９】
（核酸）
鋳型分子１３は、当業者にとって公知の任意の技法によって調整される。特定の実施形態において、鋳型分子１３は、自然に発生するＤＮＡまたはＲＮＡ分子（例えば染色体ＤＮＡまたはメッセンジャーＲＮＡ（ｍＲＮＡ））である。実質的に、染色体、ミトコンドリアまたはクロロプラストＤＮＡまたはリボソーム、トランスファー、異種核またはメッセンジャーＲＮＡを含む任意の自然に発生する核酸１３が調製され、開示される方法によってシークエンスされるが、シークエンスの方法は上記に限定されない。シークエンスされる核酸１３は、公知技術の標準的な方法によって原核または成熟核のいずれかより取得され得る。
【００３０】
様々な形状の細胞核酸１３を調製・分離するための方法は公知である（例えば、ベルガーおよびキンメル（Ｂｅｒｇｅｒ  ａｎｄ  Ｋｉｍｍｅｌ）編、「分子クローニング技術のガイド（Ｇｕｉｄｅ  ｔｏ  Ｍｏｌｅｃｕｌａｒ  Ｃｌｏｎｉｎｇ  Ｔｅｃｈｎｉｑｕｅｓ）」、（ニューヨーク、ニューヨーク州）、（Ａｃａｄｅｍｉｃ  Ｐｒｅｓｓ）、１９８７年、サムブルック、フリッチェおよびマニアティス（Ｓａｍｂｒｏｏｋ，  Ｆｒｉｔｓｃｈ  ａｎｄ  Ｍａｎｉａｔｉｓ）編、「分子クローニング：実験室マニュアル、第２版、（Ｍｏｌｅｃｕｌａｒ  Ｃｌｏｎｉｎｇ：  Ａ  Ｌａｂｏｒａｔｏｒｙ  Ｍａｎｕａｌ，  ２ｎｄ  Ｅｄ．）」、コールド・スプリング・ハーバー・プレス（Ｃｏｌｄ  Ｓｐｒｉｎｇ  Ｈａｒｂｏｒ  Ｐｒｅｓｓ）、コールド・スプリング・ハーバー、ニューヨーク州、１９８９年等を参照）。通常、細胞、組織またはシークエンシングされる核酸１３を含む他の原料物質は、例えば最初に液体窒素によって凍結され、続いて乳鉢と乳棒によって粉砕されることによって均質化される。特定の組織は、ワーリングブレンダ、Ｖｉｒｔｉｓ社のホモジェナイザ、Ｄｏｕｎｃｅ社のホモジェナイザまたは他のホモジェナイザを使用して均質化され得る。原料ホモジェネートは、デタージェント（例えばナトリウム・ドデシル硫酸塩（ＳＤＳ）、トリトンＸ−１００、ＣＨＡＰＳ（３−［（３?コラミドプロピル）?ジメチルアミノ］?１?プロパン−スルホン酸塩）、オクチルグルコシド、または公知技術による他のデタージェントによって抽出されて良い。また（あるいは加えて）、例えば、グアニジニウムイソチオシアン酸塩、またはフェノールのような有機溶媒のようなカオトロピック剤によって抽出を行っても良い。幾つかの実施形態において、例えばプロテイナーゼＫを用いたプロテアーゼ処理が、細胞のタンパク質を分解するのに用いることが出来る。粒子状の不純物が、遠心または超遠心分離（例えば約５０００〜１００００ｇ・１０〜３０分、または約５００００〜１０００００ｇ・３０〜６０分）によって取り除かれる。低イオン強度の緩衝液に対する透析が、塩または他の可溶な不純物を取り除く為に用いられて良い。核酸１３は、−２０℃の環境下でエチルアルコールを添加する事によって、また、０．３Ｍナトリウム酢酸塩（ｐＨ６．５）および０．８倍量の２−プロパノールを添加する事によって沈殿し得る。沈殿した核酸１３は、遠心分離によって、また、染色体ＤＮＡに対しては、沈殿したＤＮＡをガラスピペットまたは他のプローブ上にスプーリングする事によって収集され得る。
【００３１】
当業者は、上述した手順は単なる典型例であり、シークエンシングされる核酸１３の特定の種類に従い、様々な他の手順が用いられ得る事を理解するであろう。例えば、ミトコンドリアＤＮＡは、ステップグラジエントを用いる塩化セシウム密度勾配遠心分離によって通常は調製されるが、その一方で、ｍＲＮＡは、例えばプロメガ社（マディソン、ウイスコンシン州）またはクローンテック社（パロアルト、カリフォルニア州）のような商用供給元による分取カラムを使用して通常は調製される。この種の例は、本技術において公知である。
【００３２】
調製される鋳型核酸１３の型に従って、様々なヌクレアーゼ阻害剤が使用され得る、と言う事を当業者は理解するであろう。例えば、バルク溶液へのＲＮアーゼの混入は、ピロ炭酸ジエチル（ＤＥＰＣ）による処理によって除去し得る。その一方で、市販のヌクレアーゼ阻害剤は、プロメガ社（マディソン、ウイスコンシン州）や、ＢＲＬ社（ゲイサーズバーグ、メリーランド州）のような標準的な供給元から取得する事が出来る。精製された核酸１３が、例えばＴＥ（Ｔｒｉｓ−ＥＤＴＡ）（エチレンジアミン四酢酸）のような緩衝液に溶解され、使用に先立って−２０℃または液体窒素中に格納される。
【００３３】
一本鎖ＤＮＡ（ｓｓＤＮＡ）１３がシークエンシングされる場合、ｓｓＤＮＡ１３は標準的な手法によって二本鎖ＤＮＡ（ｄｓＤＮＡ）より調製され得る。最も単純な場合、ｄｓＤＮＡは、アニーリング温度よりも高い温度に加熱され得、この温度において自然にｓｓＤＮＡ１３に分割される。代表的な条件としては、少なくとも５分間、９２〜９５℃での加温が挙げられ得る。ｄｓＤＮＡを切り離すための条件を決定するための式は、例えば分子のＧＣ含量および長さに応じて、公知である。あるいは、公知技術である標準の増幅手法により、二本鎖ＤＮＡの１つの鎖のみに結合するプライマを使用することによって二本鎖ＤＮＡから一本鎖ＤＮＡ１３が調製されても良い。一本鎖ＤＮＡ１３を調製する他の方法は公知である。例えば、シークエンシングされる二本鎖ＤＮＡをＭ１３のようなファージの複製型に挿入して、ファージが鋳型１３の一本鎖の複製を生産することが出来る。
【００３４】
特定の実施形態は自然に発生する核酸１３の調整に関する一方、ＲＮＡまたはＤＮＡポリメラーゼ１５のための鋳型として供され得る実質的に任意の型の核酸１３のシークエンシングを行う事が可能である。例えば、様々な増幅手法（例えばポリメラーゼ連鎖反応法（ＰＣＲ（登録商標））増幅）によって調製される核酸１３のシークエンシングを行う事が出来る（米国特許第４６８３１９５号、第４６８３２０２号および第４８００１５９号を参照）。シークエンシングされる核酸１３は、標準的なベクター（例えばプラスミド、コスミド、ＢＡＣ（バクテリア人工染色体）またはＹＡＣｓ（酵母人工染色体））でクローニングされても良い（例えば、ベルガーおよびキンメル（Ｂｅｒｇｅｒ  ａｎｄ  Ｋｉｍｍｅｌ）、１９８７年；サムブルック（Ｓａｍｂｒｏｏｋ）等、１９８９年、を参照）。例えば、挿入された核酸１３は、適当な制限エンドヌクレアーゼによる切出しによってベクターＤＮＡから単離し得、続いてアガロースゲル電気泳動およびエチジウムブロマイド染色が行われる。サイズによって分別されて選択された核酸１３は、ゲルから、例えば低融点アガロースの使用によって、またはゲル切片からの電気泳動溶出によって採集され得る。挿入単離の方法は、当業者にとって公知である。
【００３５】
（一つの核酸分子の単離）
特定の実施形態において、シークエンシングされる核酸分子１３は、単一のｓｓＤＮＡまたはｓｓＲＮＡの分子である。単一のｓｓＤＮＡまたはｓｓＲＮＡ分子１３を選択・操作するための様々な方法（例えば流体力学に基づく絞り込み（ｈｙｄｒｏｄｙｎａｍｉｃ  ｆｏｃｕｓｉｎｇ）、マイクロマニピュレータ・カップリング（ｍｉｃｒｏ−ｍａｎｉｐｕｌａｔｏｒ  ｃｏｕｐｌｉｎｇ）、光学トラッピング、または、これらおよび同様の方法の組み合わせ）が使用されて良い（グッドウィン（Ｇｏｏｄｗｉｎ）等、Ａｃｃ．Ｃｈｅｍ．Ｒｅｓ．２９：６０７−６１９、１９９６年；米国特許第４９６２０３７号、第５４０５７４７号、第５７７６６７４号、第６１３６５４３号、第６２２５０６８号を参照）。
【００３６】
特定の実施形態において、マイクロ流体システム（ｍｉｃｒｏｆｌｕｉｄｉｃｓ）またはナノ流体システム（ｎａｎｏｆｌｕｉｄｉｃｓ）が、鋳型核酸１３を分類・単離するために用いることが出来る。ミクロチャネル、ミクロキャピラリまたはミクロ孔へと核酸１３の運動を操作するために、流体動力学が用いられて良い。一実施形態において、流体力学的な力は、単一の核酸分子を切り離すべく、核酸分子１３を櫛状の構造を横切って移動させるために用いることが出来る。一旦核酸分子１３が切り離されると、流体力学に基づく絞り込みが、分子１３を配置するために用いることが出来る。熱または電位、圧力または真空が、核酸１３の操作のための動力を提供するべく用られ得る。典型的な実施形態において、米国特許第５８６７２６６号および第６２１４２４６号において開示されているように、シークエンシングのための鋳型核酸１３の操作は、マイクロ加工されたチャネルおよび統合したゲル材料を含むチャネル・ブロック・デザインの使用を含んで良い。
【００３７】
他の実施形態において、核酸鋳型１３を含むサンプルは、固定化表面１４への付着の前に希釈され得る。典型的な実施形態において、固定化表面１４は、磁性または非磁性ビーズまたは他の離散的な構造のユニットの形状をしていても良い。適切な希釈濃度において、各々のビーズは、０個または１個の核酸分子１３をバインディングする統計確率を有する。１個の接続された核酸分子１３を有するビーズは、例えば、蛍光染料およびフローサイトメーターによる分類、磁気による分類を使用して識別され得る。ビーズおよび核酸１３の相対的な大きさおよび均一度に応じて、磁気フィルタおよび質量による選別が、単一の結合した核酸分子１３を含むビーズを切り離すために用いることが可能であってもよい。他の実施形態において、単一のビーズまたは他の固定化表面１４に付着する複数の核酸１３がシークエンシングされて良い。
【００３８】
他の実施形態において、シークエンシング用に被覆されたファイバの先端１４（例えば米国特許第６２２５０６８号）が、単一の分子核酸鋳型１３を生成するために用いることが出来る。他の実施形態において、固定化表面１４は、単一分子のアビジンまたは他の架橋剤を含むように調整されても良い。この種の界面１４は単一のビオチニル化されたプライマ１６を付着させる事が出来、そして、これはシークエンシングされる単一の鋳型核酸１３によってハイブリダイズされ得る。この実施形態は、アビジン−ビオチン・バインディング・システムに限定されず、公知の任意のバインディング・システムに適用され得る。
【００３９】
他の実施形態において、シークエンシングにおける一分子核酸鋳型１３の操作の為に、光学トラップが使用されて良い（例えば米国特許第５７７６６７４号）。典型的な光学トラッピング・システムは、Ｃｅｌｌ  Ｒｏｂｏｔｉｃｓ社（アルバカーキ、ニューメキシコ州）、Ｓ＋Ｌ社（ハイデルベルク、ドイツ連邦共和国）およびＰ．Ａ．Ｌ．Ｍ．Ｇｍｂｈ（ヴォルフラーツハウゼン、ドイツ連邦共和国）より市販されている。
【００４０】
（固定化の方法）
様々な実施形態において、シークエンシングされる核酸分子１３は、固体の表面１４に付着され得る（つまり、固定化される）。核酸分子１３の固定化は、核酸分子１３と表面１４との間の非共有結合的または共有結合的な付着を含む様々な方法によって達成され得る。ある具体例において、固定化は、表面１４をストレプトアビジンまたはアビジンで被覆し、更にビオチニル化されたポリヌクレオチド１３を付着する事によって達成され得る（ホルムストロム（Ｈｏｌｍｓｔｒｏｍ）等、Ａｎａｌ．Ｂｉｏｃｈｅｍ、２０９：２７８−２８３，１９９３年）。固定化は、ケイ素、ガラスまたは他の表面１４を、ポリＬリシンまたはポリＬリシン−フェニルアラニンで被覆し、更に、二機能性の架橋試薬を用いて、アミノまたはスルフヒドリルで修飾された核酸１３を共有結合によって付着させることによって行われて良い（ランニング（Ｒｕｎｎｉｎｇ）等、ＢｉｏＴｅｃｈｎｉｑｕｅｓ、８：２７６−２７７、１９９０年；ニュートン（Ｎｅｗｔｏｎ）等、Ｎｕｃｌｅｉｃ  Ａｃｉｄｓ  Ｒｅｓ．２１：１１５５−６２，１９９３年）。架橋用のアミノシランの使用によって表面１４上にアミン残基が導入され得る。
【００４１】
固定化は、化学的に修飾された表面１４に５’リン酸化された核酸１３を直接共有結合によって付着させる事によって起こり得る（ラスマッセン（Ｒａｓｍｕｓｓｅｎ）等、Ａｎａ．Ｂｉｏｃｈｅｍ，１９８：１３８−１４２，１９９１年）。核酸１３と表面１４との間の共有結合は、水溶性シアナミドによる縮合反応によって形成される。この方法によって、核酸１３の５’リン酸塩による優先的な５’付着が容易になる。
【００４２】
通常、ＤＮＡ１３は、まずガラス表面１４をシラン処理し、続いてカルボジイミドまたはグルタールアルデヒドによって活性化する事によってガラスに付着される。他の方法として、分子の３’末端または５’末端のいずれかに組み込まれるアミノリンカーによってリンクされるＤＮＡ１３に、３−グリシドキシプロピルトリメトキシシラン（ＧＯＰ）またはアミノプロピルトリメトキシシラン（ＡＰＴＳ）のような試薬を使用することが出来る。ＤＮＡ１３は、紫外線を使用して、表層膜１４に直接バインドされ得る。核酸１３の固定化の技法の他の例が、米国特許第５６１０２８７号、第５７７６６７４号および第６２２５０６８号に開示されているが、固定化の技法の例はこれらに限定されない。
【００４３】
核酸１３の固定化のために使用される表面１４の種類は限定されるものではない。様々な実施形態において、固定化表面１４は、磁性ビーズ、非磁性ビーズ、平坦面、尖った表面、または、核酸１３のシークエンシング反応が行われ得るような十分な耐性が有って不活性である実質的に任意の材料を有する任意の構造の固体の表面１４であって良い。使用され得る表面１４として、ガラス、シリカ、ケイ酸エステル、ＰＤＭＳ、銀または他の金属で被覆された表面、ニトロセルロース、ナイロン、活性石英、活性ガラス、重合ビニリデン二フッ化物（ＰＶＤＦ）、ポリスチレン、ポリアクリルアミド、ポリ塩化ビニル、ポリメチルメタクリレートまたはポリジメチル・シロキサンのような他のポリマー、および、共有結合によるリンクを核酸分子１３と形成する事が可能なナイトレン、カルベン、ケチルラジカルのような感光性の種を含む感光性樹脂等であって良いが、表面１４はこれらのものに限定されない（例えば米国特許第５４０５７６６号および第５９８６０７６号を参照）。
【００４４】
様々な実施形態において、二機能性の架橋試薬が、例えば核酸分子１３を表面１４に付着させる為に有用であって良い。二機能性の架橋試薬は、それらの官能基（例えばアミノ、グアニジノ、インドールまたはカルボキシル基）の選択性によって分類されて良い。これらのうちで、アミノ基を遊離させる試薬が、市場での入手容易性、合成の平易さおよびこれらが適用され得る反応条件の緩やかさといった理由によって普及している。分子架橋の典型的な方法が、米国特許第５６０３８７２号および第５４０１５１１号において開示されている。架橋試薬は、グルタールアルデヒド（ＧＡＤ）、二機能性のオキシラン（ＯＸＲ）、エチレングリコール・ジグリシジルエーテル（ＥＧＤＥ）およびカルボジイミド（例えば１-エチル-３-（３-ジメチルアミノプロポキシル）カルボジイミド（ＥＤＣ））を含む。
【００４５】
（合成試薬）
特定の実施形態において、シークエンシング反応は、例えばＤＮＡポリメラーゼ１５のような合成試薬１５をプライマ分子１６へバインディングし、ヌクレオチド前駆体１７をプライマ１６の３’末端に触媒作用によって添加する事とを含む。使用され得る合成試薬１５は、ＤＮＡポリメラーゼ、ＲＮＡポリメラーゼ、リバーストランスクリプターゼおよびＲＮＡ依存ＲＮＡポリメラーゼを含むが、合成試薬１５はこれに限定されない。これらの「プルーフリーディング」活性およびプライマおよびプロモーター配列が必要であるか不必要であるかと言った点に関するこれらの合成試薬１５の相違は、本願明細書において議論され、公知である。ＲＮＡポリメラーゼが合成試薬１５として使われる際、シークエンシングされる鋳型分子１３は二本鎖ＤＮＡであってもよい。
【００４６】
プルーフリーディングの能力を有する合成試薬１５を使用する実施形態において、誤って取り込まれたヌクレオチド前駆体１７の放出は検出ユニット１２によって検出され、これによって、配列データは修正される。プルーフリーディングの能力の無い合成試薬１５を使用する実施形態においては誤りが修正されない。これらの誤りは、オリジナルの鋳型１３の両方の鎖をシークエンシングすることによって、また、同じ鎖１３の複数の複製をシークエンシングすることによって防止され得る。使用され得るポリメラーゼ１５の例として、Ｔｈｅｒｍｏｔｏｇａ  ｍａｒｉｔｉｍａＤＮＡポリメラーゼ、ＡｍｐｌｉｔａｑＦＳ（登録商標）ＤＮＡポリメラーゼ、Ｔａｑｕｅｎａｓｅ（登録商標）ＤＮＡポリメラーゼ、ＴｈｅｒｍｏＳｅｑｕｅｎａｓｅ（登録商標）、ＴａｑＤＮＡポリメラーゼ、Ｑｂｅｔａ（登録商標）レプリカーゼ、Ｔ４ＤＮＡポリメラーゼ、Ｔｈｅｒｍｕｓ  ｔｈｅｒｍｏｐｈｉｌｕｓＤＮＡポリメラーゼ、ＲＮＡ依存ＲＮＡポリメラーゼ、およびＳＰ６ＲＮＡポリメラーゼ等が挙げられるが、これらに限定されるものではない。
【００４７】
多くの合成試薬１５は市販である。市販の合成試薬として、ベーリンガー・マンハイムバイオケミカル社（インディアナポリス、インディアナ州）が提供するＰｗｏＤＮＡポリメラーゼ、バイオ・ラッド・ラボラトリーズ社（ヘラクレス、カリフォルニア州）が提供するＢｓｔポリメラーゼ、エピセンター・テクノロジー社（マディソン、ウイスコンシン州）が提供するＩｓｏＴｈｅｒｍ（登録商標）ＤＮＡポリメラーゼ、プロメガ社（マディソン、ウイスコンシン州）が提供するＭｏｌｏｎｅｙ  Ｍｕｒｉｎｅ  Ｌｅｕｋｅｍｉａ  Ｖｉｒｕｓ  リバーストランスクリプターゼ、ＰｆｕＤＮＡポリメラーゼ、Ａｖｉａｎ  Ｍｙｅｌｏｂｌａｓｔｏｓｉｓ  Ｖｉｒｕｓリバーストランスクリプターゼ、Ｔｈｅｒｍｕｓ  ｆｌａｖｕｓ（Ｔｆｌ）ＤＮＡポリメラーゼ、Ｔｈｅｒｍｏｃｏｃｃｕｓ  ｌｉｔｏｒａｌｉｓ（Ｔｌｉ）ＤＮＡポリメラーゼ、および、アマシャム・ファルマシア・バイオテック（ピスカタウェイ、ニュージャージー州）が提供する、ＲＡＶ２  リバーストランスクリプターゼ、ＨＩＶ−１リバーストランスクリプターゼ、Ｔ７ＲＮＡポリメラーゼ、Ｔ３  ＲＮＡポリメラーゼ、ＳＰ６  ＲＮＡポリメラーゼ、ＲＮＡポリメラーゼ大腸菌、Ｔｈｅｒｍｕｓ  ａｑｕａｔｉｃｕｓ  ＤＮＡポリメラーゼ、Ｔ７ＤＮＡポリメラーゼ  ＋／−３’→５、エキソヌクレアーゼ、ＤＮＡポリメラーゼＩのクレノー断片、Ｔｈｅｒｍｕｓ’ｕｂｉｑｕｉｔｏｕｓ’ＤＮＡポリメラーゼ、および、ＤＮＡポリメラーゼＩが挙げられるが、これらに限定されるものではない。しかしながら、ヌクレオチド前駆体１７の鋳型依存のポリメリゼーションのための公知の任意の合成試薬１５が使用され得る（グッドマンおよびティッピン（Ｇｏｏｄｍａｎ  ａｎｄ  Ｔｉｐｐｉｎ）、Ｎａｔ．Ｒｅｖ．Ｍｏｌ．Ｃｅｌｌ  Ｂｉｏｌ．１（２）：１０１−９、２０００年、米国特許第６０９０５８９号を参照）。
【００４８】
ポリメラーゼ１５の活性の速度が、検出ユニット１２によるヌクレオチド前駆体１７の解析の最適速度と一致するように操作され得る事を、当業者は理解するであろう。または反応室１１の温度、圧力、ｐＨ、塩濃度、二価陽イオン濃度、ヌクレオチド前駆体１７の濃度の調整を含む、ポリメラーゼ１５の活性速度を調整するための様々な方法が公知である。ポリメラーゼ１５の活性の最適化の方法は、当業者にとって公知である。
【００４９】
（標識）
検出ユニット１２によるヌクレオチド前駆体１７の計測を容易にするために、特定の実施形態が、標識をヌクレオチド前駆体１７に組み込むことを含んで良い。ラマン標識、フルオロホア、クロモホア、ラジオアイソトープ、酵素による標識、抗体、化学発光、電子発光、親和標識のような、多くの異なる標識が使用され得る。当業者は、これらの標識、本願明細書において言及されない他の標識成分が、開示された方法において使用され得る事を認識するであろう。
【００５０】
ラマン分光法を含んでいる実施形態に用いられる標識は上述された。他の実施形態において、使用される標識成分は、例えば、Ａｌｅｘａ３５０、Ａｌｅｘａ４３０、ＡＭＣＡ（７−アミノ−４−メチルクマリン−３−酢酸）、ＢＯＤＩＰＹ（５，７−ジメチル−４−ボラ−３ａ，４ａ−ジアザ−ｓ−インダセン−３−プロピオン酸）６３０／６５０、ＢＯＤＩＰＹ６５０／６６５、ＢＯＤＩＰＹ−ＦＬ（フルオレセイン）、ＢＯＤＩＰＹ−Ｒ６Ｇ（６−カルボキシローダミン）、ＢＯＤＩＰＹ−ＴＭＲ（テトラメチルローダミン）、ＢＯＤＩＰＹ−ＴＲＸ（Ｔｅｘａｓ  Ｒｅｄ−Ｘ）、Ｃａｓｃａｄｅ  Ｂｌｕｅ、Ｃｙ２（シアニン）、Ｃｙ３、Ｃｙ５，６−ＦＡＭ（５−カルボキシフルオレセイン）、フルオレセイン、６−ＪＯＥ（２’７’−ジメトキシ−４’５’−ジクロロ−６−カルボキシフルオレイセン）、Ｏｒｅｇｏｎ  Ｇｒｅｅｎ４８８、Ｏｒｅｇｏｎ  Ｇｒｅｅｎ  ５００、Ｏｒｅｇｏｎ  Ｇｒｅｅｎ  ５１４、Ｐａｃｉｆｉｃ  Ｂｌｕｅ、Ｒｈｏｄａｍｉｎｅ  Ｇｒｅｅｎ、Ｒｈｏｄａｍｉｎｅ  Ｒｅｄ、ＲＯＸ（６−カルボキシ−Ｘ−ローダミン）、ＴＡＭＲＡ（Ｎ，Ｎ，Ｎ’，Ｎ’−テトラメチル−６−カルボキシローダミン）、ＴｅｔｒａｍｅｔｈｙｌｒｈｏｄａｍｉｎｅおよびＴｅｘａｓ  Ｒｅｄのようなフルオロホアであって良い。蛍光性または発光性の標識は、通常の民間の供給源（例えばモレキュラープローブス社（ユージン、オレゴン州）より取得可能である。
【００５１】
（プライマ）
プライマ１６は、公知技術の任意の方法によって得られ得る。通常、プライマ１６の長さは、１０〜２０塩基である。但し、より長いプライマ１６が使用されても良い。特定の実施形態において、プライマ１６は、鋳型核酸分子１３の既知の部分に対する配列に対して正確に相補的であるように設計され、鋳型１３の固定化表面１４に対する付着店に近接している事が好ましい。任意の配列のプライマ１６の合成方法、例えば、フォスフォアミダイト法を使用した自動化された核酸合成機を使用することが、本技術において公知である、そして、この種の機器は標準的な供給源（例えばアプライド・バイオシステムズ社（フォスターシティー、カリフォルニア州）またはミリポア社（ベッドフォード、マサチューセッツ州）から入手可能である。
【００５２】
他の実施形態は、既知のプライマ結合部が存在しない条件下で核酸１３のシークエンシングを行う事を含む。そのような場合、ランダム・ヘキサマー、または、例えば、７、８、９、１０、１１、１２、１３、１４、１５塩基、またはそれより長い塩基のランダム・オリゴマーのようなランダム・プライマ１６を発生期の鎖１６のポリメリゼーションを開始する為に用い得る。単一の鋳型鎖１３上に複数のポリメリゼーション部位が発生する事を避けるために、固定化表面１４への付着点近傍において鋳型分子１３にハイブリダイズするプライマ１６以外のプライマは、合成反応が開始される前に取り除かれても良い。
【００５３】
例えば、これは結合剤（例えばストレプトアビジン）で覆われている固定化表面１４を用いて達成され得る。相補の結合剤（例えばビオチン）が、プライマ分子１６の５’末端に付着され得る。プライマ１６および鋳型１３間のハイブリダイゼーションを発生させた後、固定化表面１４に付着しないプライマ分子１６が取り除かれる。鋳型鎖１３にハイブリダイズするプライマ１６のみが、鋳型に依存するＤＮＡ合成のためのプライマ１６として供される。他の実施形態においては、複数のプライマ分子１６を固定化表面１４に付着させても良い。鋳型分子１３が追加され、相補プライマ１６に水素結合される。鋳型に依存したポリメラーゼ１５が、続いて発生期の鎖１６の合成を開始するために作用する。
【００５４】
他の種類の架橋剤が、１つの鋳型鎖１３につき選択的に１つのプライマ１６のみを保持するために用いられて良い（例えば光励起性の架橋剤）。上記の様に、多くの架橋剤が、公知であり、使用可能である。また、プライマ１６と鋳型１３との間の水素結合を妨げるような固定化表面１４の立体障害の可能性を避けるために、架橋剤がリンカー・アームによって固定化表面１４に付着されて良い。
【００５５】
（反応室）
反応室１１は、水環境において、固定化表面１４、核酸鋳型１３、プライマ１６、合成試薬１５およびヌクレオチド前駆体１７を保持するように設計されている。幾つかの実施形態において、反応室１１は、例えばペルチェ素子の組み込み、または公知技術の他の方法によって温度が制御されるように設計される。核酸ポリメリゼーションにおいて使用される小容量液体の温度制御の方法は公知である（米国特許第５０３８８５３号、第５９１９６２２号、第６０５４２６３号および第６１８０３７２号参照）。
【００５６】
特定の実施形態において、コンピュータチップの製造またはミクロキャピラリチップの製造の分野において公知であるように、反応室１１、および、分子ディスペンサ２１に対する、廃棄ポートに対する、鋳型１３の供給ポートに対する、または合成試薬１５の供給ポートに対する接続を提供する為の任意の反応室１１に関する流体チャネルが、バッチ製作プロセスによって製造される。幾つかの実施形態において、装置１０の反応室１１および他の構成要素（例えば分子ディスペンサ２１）は、単一の統合したチップとして製造されて良い。この種のチップは、従来技術によって、例えばフォトリソグラフィーおよびエッチングによって製造され得る。しかし、製造方法はこれに限定されず、公知技術の他の方法（例えばレーザアブレーション、射出成形、鋳造またはインプリンティングの技法）が使用されても良い。ナノ電気機械システムの製造方法が、特定の実施形態、例えば分子ディスペンサ２１を使用する実施形態に対して使用されて良い（例えば、クレーグヘッド（Ｃｒａｉｇｈｅａｄ）、Ｓｃｉｅｎｃｅ、２９０：１５３２−３６、２０００年を参照）。マイクロ加工されたチップは、例えば、カリパー・テクノロジーズ社（マウンテンビュー、カリフォルニア州）およびアクララ・バイオサイエンシーズ社（マウンテンビュー、カリフォルニア州）のような供給元から市販されている。
【００５７】
プラズマ増速化学蒸着（ＰＥＣＶＤ）システム（ＰＥＩＩ−Ａ、テクニクス・ウエスト社、サンノゼ、カリフォルニア州）によるアモルファスシリコン犠牲層の堆積に先立って、Ｂｏｒｏｆｌｏａｔガラスウェーハー（プレシジョングラス＆オプティクス（サンタアナ、カリフォルニア州））が、高濃度ＨＦ（フッ化水素酸）中で短期間プレエッチングされ、洗浄されても良いが、上記の方法に限定されない。ウェーハは、ヘキサメチルジシラザン（ＨＭＤＳ）を注入されて良く、フォトレジストによってスピンコートされて（シプリー１８１８、マールボロ、マサチューセッツ州）、ソフトベークされて良い。コンタクトマスク・アライナ（Ｑｕｉｎｔｅｌ社、サンノゼ、カリフォルニア州）が、一つ以上のマスクデザインによってフォトレジスト層を露光するために用いられ得、そして、露光したフォトレジストはＭｉｃｒｏｐｏｓｉｔの現像液濃縮剤（シプリー）および水の混合液を使用して除去される。現像されたウェーハはハードベークされて良く、そして、露光したアモルファスシリコンが、ＰＥＣＶＤ炉中でＣＦ４（四フッ化炭素）プラズマを使用して除去されて良い。ウェーハは、反応室１１および任意のチャネルを生成する為に、高濃度ＨＦによって化学的にエッチングされて良い。残留したフォトレジストがストリッピングされ、アモルファスシリコンが除去される。
【００５８】
ダイヤモンドドリル・ビット（クリスタライト社、ウェスタービル、オハイオ州）によって、エッチングされたウェーハにアクセスホールが穿設される。完成したチップは、プログラム可能な真空炉（ＣｅｎｔｕｒｉｏｎＶＰＭ，Ｊ．Ｍ．Ｎｅｙ、ユカイパ、カリフォルニア州）中において、エッチング・穿設されたプレートと、同サイズの平坦なウェーハとを熱的にボンディングすることによって製作されて良い。特定の実施形態において、チップは２つのエッチングされたプレートを相互にボンディングすることによって製作されても良い。反応室１１のチップの製作のための他の典型的な方法は、米国特許第５８６７２６６および第６２１４２４６号において開示されている。
【００５９】
検出ユニット１２によってヌクレオチド前駆体１７の検出を容易にするために、反応室１１を構成する材料は、検出ユニット１２において使用される励起および発光振動数の電磁波の放射に対して透過性を有する材料が選定され得る。ガラス、ケイ素および一般にラマン分光法、蛍光分光学法、ルミネセンス分光法または他の形式の分光法に使用される周波数範囲においてほぼ透過性を有するその他の材料が、反応室１１を製作する為に使用されて良い。幾つかの実施形態において、検出ユニット１２と相対する反応室１１の表面は、銀、金、白金、銅、アルミニウム、または検出ユニット１２に対して比較的不透明である他の材料によって被覆されていても良い。この場合、不透明体材料は、例えば表面強化ラマン分光法のような、ラマン信号またはその他の信号を増強するために利用可能であり、その一方で、検出ユニット１２の機能は妨げられない。他の実施形態において、銀、金、白金、銅またはアルミニウムを含むメッシュが、反応室内部に配置されても良い。
【００６０】
様々な実施形態において、反応室１１内部の容積は、約１ピコリットル、約２ピコリットル、約５ピコリットル、約１０ピコリットル、約２０ピコリットル、約５０ピコリットル、約１００ピコリットル、約２５０ピコリットル、約５００ピコリットル、約１ナノリットル、約２ナノリットル、５ナノリットル、約１０ナノリットル、約２０ナノリットル、約５０ナノリットル、約１００ナノリットル、約２５０ナノリットル、約５００ナノリットル、約１マイクロリットル、約２マイクロリットル、約５マイクロリットル、約１０マイクロリットル、約２０マイクロリットル、約５０マイクロリットル、約１００マイクロリットル、約２５０マイクロリットル、約５００マイクロリットルまたは約１ミリリットルであって良い。
【００６１】
（分子ディスペンサ）
分子ディスペンサ２１は、反応室１１にヌクレオチド前駆体１７をリリースするように設計されている。特定の実施形態において、分子ディスペンサ２１は、各型のヌクレオチド前駆体１７を同じ量だけリリースする事が出来る。このような実施形態において、単一の分子ディスペンサ２１が、反応室１１に４種類全てのヌクレオチド前駆体１７をリリースするために用いられて良い。他の実施形態は、４つの型のヌクレオチド前駆体１７の放出の速度がそれぞれに制御されることを必要とし得る。このような実施形態においては、複数の分子ディスペンサ２１が使用されても良い。４つの別々の分子ディスペンサ２１が使用され、それぞれの分子ディスペンサが反応室１１に単一の型のヌクレオチド前駆体１７をそれぞれリリースしても良いが、これに限定されるものでは無い。
【００６２】
様々な実施形態において、分子ディスペンサ２１が、ポンピング装置であっても良い。
使用され得るポンピング装置は、公知である様々なマイクロ加工されたポンプを含む。例えば、複数のピエゾ素子で駆動される湾曲したダイヤフラムと２つの逆止弁とを備えるポンプが、米国特許第５２７７５５６号、第５２７１７２４号および第５１７１１３２号で開示されている。感温型（ｔｈｅｒｍｏｐｎｅｕｍａｔｉｃ）エレメントによって駆動されるポンプが、米国特許第５１２６０２２号において開示される。直列に整列した複数のメンブレンを使用する、圧電式または電圧の印加によって駆動されるペリスタル・ポンプが、米国特許第５，７０５，０１８号において開示される。ミクロン・スケールのチャネル内の流体輸送のためのラム波ポンプの使用が、国際公開第ＷＯ／９４／０５４１４号パンフレットに開示されている。当業者は、分子ディスペンサ２１が本願明細書において開示されるポンプに限定されず、公知技術の、超低流量の流体を制御して供給するための任意の設計を組み込むことが出来ると理解するであろう。
【００６３】
他の実施形態において、分子ディスペンサ２１は、電子流体力学的なポンプであっても良い（例えば、リヒター（Ｒｉｃｈｔｅｒ）等、Ｓｅｎｓｏｒ  ａｎｄ  Ａｃｔｕａｔｏｒｓ、２９：１５９−１６５、１９９１年、米国特許第５１２６０２２号）。一般的に、この種のポンプは、チャネルまたは反応／ポンピング・チャンバの１つの表面全体に配置されている一連の電極を使用する。電極全体によって電界を印加する事によって、サンプルの荷電化学種の電気泳動的な運動が発生する。インジウムスズ酸化物のフィルムは、例えばガラスまたはシリコン基板のような基盤の表面に電極を形成する事に特に適している。また、これらの方法は、ヌクレオチド前駆体１７を反応室１１に導入する為に用いられても良い。例えば、電極は分子ディスペンサ２１の表面に沿って形成されて良く、電極の表面にヌクレオチド前駆体１７を結合させるために、適切な官能基によって修飾されて良い。分子ディスペンサ２１の表面の電極と、相対する電極との間に電流を流す事によって、反応室１１においてヌクレオチド前駆体１７が電気泳動的な挙動を示す。
【００６４】
特定の実施形態において、分子ディスペンサ２１は、一度に１つのヌクレオチド前駆体１７を供給するように設計されていてもよい。他の実施形態において、分子ディスペンサ２１は、約１ピコリットル、約２ピコリットル、約５ピコリットル、約１０ピコリットル、約２０ピコリットル、約５０ピコリットル、約１００ピコリットル、約２５０ピコリットル、約５００ピコリットル、約１ナノリットル、約２ナノリットル、５ナノリットル、約１０ナノリットル、約２０ナノリットル、約５０ナノリットル、約１００ナノリットル、約２５０ナノリットル、約５００ナノリットル、約１マイクロリットル、約２マイクロリットル、約５マイクロリットル、約１０マイクロリットル、約２０マイクロリットル、または約５０マイクロリットルの容積のヌクレオチド前駆体１７を供給するように設計されていても良い。
【００６５】
（検出ユニット）
ラマン分光法を含む実施形態
【００６６】
幾つかの実施形態において、検出ユニット１２は、ラマン分光法によってヌクレオチド前駆体１７を検出・計量するように設計されている。ラマン分光法によるヌクレオチド前駆体１７の検出のための様々な方法が、公知である（米国特許第５３０６４０３号、第６００２４７１号、第６１７４６７７号を参照）。表面増強ラマン分光法（ＳＥＲＳ）または表面増強共鳴ラマン分光法（ＳＥＲＲＳ）の様々な例が開示されている。ＳＥＲＳおよびＳＥＲＲＳにおいて、ラマン検出の感度は、きめの粗い金属表面（例えば銀、金、白金、銅またはアルミニウム表面）に吸収される分子に比べて、１０６倍以上に増強される。
【００６７】
検出ユニット１２の例が、米国特許第６００２４７１号において開示されるが、これに限定されない。本実施形態において、励起光線２０は、５３２ナノメートルの波長のＮｄ：ＹＡＧレーザ１８か、３６５ナノメートルの波長のＴｉ：サファイア・レーザ１８によって生成される。レーザ光線２０は、パルス光であっても良いし、連続光であっても良い。励起光線２０は、共焦点光学系および顕微鏡の対物レンズを通過して、反応室１１に焦点が合わせられる。ヌクレオチド前駆体１７からのラマン発光は、顕微鏡の対物レンズおよび共焦点光学系によって集められ、スペクトル解離のためにモノクロメータ１９に接続される。共焦点光学系は、ダイクロイックフィルタ、バリアーフイルタ、共焦点ピンホール、レンズおよびバックグラウンド信号を低減させるためのミラーの組み合わせを備える。標準的なフルフィールドの光学系が、共焦点光学系と同様に使用され得る。ラマン発光信号は、ラマン検出器１９によって検出される。検出器１９は、信号の計数およびデジタル化のために、コンピュータに接続されたアバランシェフォトダイオードを備える。表面増強ラマンおよび表面増強ラマン共鳴によって増強された信号を供給する為に、特定の実施形態において、銀、金、白金、銅またはアルミニウムを備えるメッシュが、反応室１１に含まれていて良い。
【００６８】
検出ユニット１２の他の実施形態が、例えば米国特許第５３０６４０３号において開示され、この実施形態は、シングルフォトン・カウンティングモードで作動するガリウム砒素光電子増倍管（ＲＣＡ社Ｃ３１０３４またはＢｕｒｌｅ  Ｉｎｄｕｓｔｒｙ社Ｃ３１０３４０２）を有する二重格子分光光度計１９を備えるＳｐｅｘ１４０３を含む。励起源１８は、ＳｐｅｃｔｒａＰｈｙｓｉｃｓ社の１６６アルゴン−イオンレーザの５１４．５ナノメートルの光線、および、コヒーレント社のＩｎｎｏｖａ７０クリプトン−イオンレーザの６４７．１ナノメートルの光線である。
【００６９】
励起源１８のその他の例として、Ｌａｓｅｒ  Ｓｃｉｅｎｃｅ社の窒素レーザの３３７ナノメートルの光線、およびＬｉｃｏｎｏｘ社製のヘリウム−カドミウム・レーザの３２５ナノメートルの光線が挙げられる（米国特許第６１７４６７７号）。励起光線２０は、バンドパスフィルタ（Ｃｏｒｉｏｎ社）によって、スペクトル的に不要な成分を取り除かれ、６倍の対物レンズ（ニューポート社Ｌ６Ｘ）によって反応室１１に焦点が合わせられる。対物レンズは、励起光線２０と放出されたラマン信号が直角になるようにホログラフィック・ビームスプリッタ（Ｋａｉｓｅｒ  Ｏｐｔｉｃａｌ  Ｓｙｓｔｅｍｓ社ＨＢ６４７−２６Ｎ１８）を使用する事によって、ヌクレオチド前駆体１７を励起する為およびラマン信号を集める為の双方に用いられ得る。ホログラフィック・ノッチフィルタ（Ｋａｉｓｅｒ  Ｏｐｔｉｃａｌ  Ｓｙｓｔｅｍｓ社）が、レイリー散乱輻射線を低減させる為に用いられて良い。ラマン検出器１９の他の例として、赤色が強められたインテンシファイアー付き電荷結合素子（ＲＥ−ＩＣＣＤ）検出システム（Ｐｒｉｎｃｅｔｏｎ  Ｉｎｓｔｒｕｍｅｎｔｓ社）を備えるＩＳＡ社のＨＲ−３２０スペクトルグラフが挙げられる。例えば、電荷注入素子、フォトダイオードアレイまたはフォトトランジスタアレイのような、他の型の検出器１９が使用されて良い。
【００７０】
ヌクレオチド１６を検出する為に、通常のラマン散乱、共鳴ラマン散乱、表面増強ラマン散乱、表面増強共鳴ラマン散乱、コヒーレント反ストークスラマン分光法（ＣＡＲＳ）、誘導ラマン散乱、逆ラマン分光法、誘導ゲイン・ラマン分光法、ハイパーラマン散乱、レーザーラマンマイクロプローブ分光法（ＭＯＬＥ）またはラマンマイクロプローブまたはラマン顕微鏡または共焦点ラマン顕微鏡、３次元または走査ラマン、ラマン・サチュレーション分光法、時間分解された共鳴ラマン、ラマン・デカップリング分光法（Ｒａｍａｎ  ｄｅｃｏｕｐｌｉｎｇ  ｓｐｅｃｔｒｏｓｃｏｐｙ）または紫外ラマン顕微鏡のような、任意の好適な形態または構成の公知のラマン分光法または関連する技術が用いられて良いが、上記の当該技術に限定される物ではない。
【００７１】
ＦＲＥＴを含む実施形態
【００７２】
他の実施形態において、ヌクレオチド前駆体１７は、蛍光共鳴エネルギー転移（ＦＲＥＴ）を用いる事によって識別・計量されても良い。ＦＲＥＴは、ドナー分子とアクセプタ分子との間の接近を検出するために用いる分光学的現象である。ドナーからの蛍光性発光がアクセプタの励起スペクトルと重なるように、ドナーおよびアクセプタのペアが選択される。２つの分子間の距離が１００オングストローム未満となった際、ドナーの励起状態エネルギーが無放射でアクセプタに転送され、ドナーの蛍光が停止する。アクセプタ分子がフルオロホアである場合、その蛍光が増強される。オリゴヌクレオチドに対するＦＲＥＴの使用のための構成要素および方法は公知である（例えば米国特許第５８６６３６６号）。
【００７３】
ＦＲＥＴのための標識として多用される分子は、フルオレセイン、５−カルボキシフルオレセイン（ＦＡＭ）、２’７’−ジメトキシ−４’５’−ジクロロ−６−カルボキシフルオレセイン（ＪＯＥ）、ローダミン、６−カルボキシローダミン（Ｒ６Ｇ）、Ｎ，Ｎ，Ｎ’，Ｎ’−テトラメチル−６−カルボキシローダミン（ＴＡＭＲＡ）、６−カルボキシ−Ｘ−ローダミン（ＲＯＸ）、４−（４’−ジメチルアミノフェニルアゾ）安息香酸（ＤＡＢＣＹＬ）および５−（２’−アミノエチル）アミノナフタレン−１−スルホン酸（ＥＤＡＮＳ）を含む。使用可能な他のＦＲＥＴドナーまたはアクセプタ分子が、公知である（米国特許第５８６６３３６号の表１を参照）。当業者は、ＦＲＥＴのための標識分子のペアの選定に精通しているであろう（米国特許第５８６６３３６号）。
【００７４】
ＦＲＥＴを含む実施形態において、ドナーおよびアクセプタ分子は、共有結合または非共有結合でシークエンシング装置１０の様々な成分に付着してよい。特定の実施形態において、ドナーまたはアクセプタ分子は、ヌクレオチド前駆体１７に、鋳型鎖１３に、またはポリメラーゼ１５に付着されて良い。
【００７５】
特定の実施形態において、ドナー分子は鋳型鎖１３に付着し、アクセプタ分子がヌクレオチド前駆体１７に付着して良い。この場合、ヌクレオチド前駆体１７の各々の型は、識別可能な発光スペクトルを有するアクセプタ分子に接続されなければならない。その一方で、ドナー分子は、４種類のアクセプタ分子の全ての励起スペクトルと重なる広い発光スペクトルを有する様に選定されなければならない。例えば、二本鎖の核酸に挿入される蛍光性挿入剤として、複数のドナー分子が鋳型鎖１３内に存在するであろう。他の実施形態において、ドナー分子は、基底対の形成を妨げない位置において、鋳型鎖１３に共有結合によって付着されても良い。励起によって、複数のドナー分子は自身のエネルギーをヌクレオチド前駆体１７に付着しているアクセプタ標識分子へ転送する。そして、アクセプタ分子から増強された蛍光信号が蛍光される。信号の増強の強度は距離が離れるにつれて急速に減少するので、発生期の鎖１６に組み込まれるヌクレオチド前駆体１７に最も大きな信号増強が発生し、その一方で、反応室１１内で溶液中を自由に移動するヌクレオチド前駆体１７は比較的弱い信号増強を示すであろう。励起光線２０の波長は、ドナー分子を最大限に励起する一方で、アクセプタ分子は僅かにしか励起されないように選定され得る。この場合、発生期の鎖１６に組み込まれるヌクレオチド前駆体１７のみが、検出可能な蛍光性信号を生じる。各々のヌクレオチド前駆体１７が発生期の鎖１６に組み込まれるので、ドナー標識からの信号が検出されるようになる。
【００７６】
特定の実施形態において、シークエンシングされる鋳型核酸１３は、例えば光学トラップを用いて、公知の方法によって蛍光顕微鏡の視界の範囲内に保持する事が出来る（例えば米国特許第６１３６５４３号）。使用され得る蛍光顕微鏡の例として、１００倍の倍率を有する油浸レンズ（Ｐｌａｎ．ｍｕｌｔｉｄｏｔ．Ａｐｏｃｈｒｏｍａｔ．ｔｉｍｅｓ．１００、１．４０ＮＡ（オリンパス社））を用いる逆位相差・落射式蛍光顕微鏡（ＩＭＴ２−ＲＦＣ、オリンパス社）が挙げられるが、これに限定される物ではない。そして、前述されたように、励起光線２０がレーザ１８によって発されることができる。蛍光発光は、適当なフィルタを用いて対物レンズで集められ得、任意の高感度蛍光検出器１９（例えばＣＣＤ装置、フォトダイオード、光電子増倍管またはその均等物）を使用して検出する事が出来る。
【００７７】
他の実施形態において、ドナー分子がポリメラーゼ１５に付着しても良い。前述されたように、ヌクレオチド前駆体１７の各々の型は識別可能なアクセプタ分子を有しなければならず、そして、ドナーの発光スペクトルは、各々のアクセプタ分子の励起スペクトルと重なり合わなければならない。ドナーによって標識を付された鋳型核酸１３を含む実施形態において議論されるように蛍光検出が実行されて良い。鋳型１３に標識を付す方法よりもドナー分子の数がかなり少ないので、アクセプタ分子のための信号増強の強度はより低くなる。しかし、本実施形態において、蛍光共鳴移動は、ポリメラーゼ１５の触媒部位上または近傍のいずれかに存在するヌクレオチド前駆体１７に限られていなければならない。ドナー分子は、触媒部位の近傍で、かつ合成的試薬１５のポリメラーゼ活性を妨げない位置に付着されなければならない。本実施形態において、より複雑性の低いＦＲＥＴ信号が、検出されなければならない。
【００７８】
（情報処理・制御システムおよびデータ分析）
特定の実施形態において、シークエンシング装置１０は、情報処理・制御システムを備えていて良い。本実施形態に用いられる情報処理・制御システムの形式は特に限定される物ではない。典型的な情報処理・制御システムは、情報を伝達するためのバスおよび情報を処理するためのプロセッサを備えるコンピュータを組み込むことが出来る。一実施形態において、プロセッサは、インテル社（サンタクララ、カリフォルニア州）から入手可能なプロセッサであるペンティアム（登録商標）ＩＩシリーズ、ペンティアム（登録商標）ＩＩＩシリーズおよびペンティアム（登録商標）４シリーズから選択されるが、これらに限定される物ではない。他の実施例では、プロセッサは、インテル社（サンタクララ、カリフォルニア州）のセレロン（登録商標）、イタニウム（登録商標）またはペンティアム・ジオン（登録商標）プロセッサであってもよい。様々な他の実施例において、プロセッサは、インテル（登録商標）アーキテクチャ（例えばインテル（登録商標）ＩＡ−３２またはインテル（登録商標）ＩＡ−６４アーキテクチャ）に基づいてもよい。あるいは、他のプロセッサが使われても良い。
【００７９】
コンピュータは、ランダムアクセスメモリ（ＲＡＭ）または他の動的記憶装置、リードオンリーメモリ（ＲＯＭ）および／または他の静的記憶装置、および磁気ディスクまたは光ディスクまたはそれに対応するようなデータ記憶装置を更に備えて良い。情報処理・制御システムは、表示装置（例えばＣＲＴまたは液晶ディスプレイ）、文字入力装置（例えばキーボード）、カーソル制御装置（例えばマウス、トラックボールまたはカーソル方向キー）および通信装置（例えば、モデム、ネットワークインターフェイスカードまたはイーサネット、トークンリングまたは他の形式のネットワーク接続インタフェース機器）の様な、公知技術による他の周辺機器を更に備えて良い。
【００８０】
特定の実施形態において、検出ユニット１２はバスに接続されていても良い。検出ユニット１２からのデータは、プロセッサおよびメインメモリに格納されるデータによって処理されて良い。標準のヌクレオチド前駆体１７の発光プロファイルについてのデータが、メインメモリまたはＲＯＭに格納されて良い。プロセッサは、発生期の鎖１６に組み込まれるヌクレオチド前駆体１７の型を識別するために、反応室１１のヌクレオチド前駆体１７からの複数の発光スペクトルを比較することが出来る。また、メインメモリは、反応室１１から消失したヌクレオチド前駆体１７の配列を格納する事が出来る。プロセッサは、鋳型核酸１３の配列を決定するために、検出ユニット１２からのデータを分析することが出来る。
【００８１】
上述された例と異なる構成の情報処理・制御システムが、特定の実施において使用され得る事が認識されるであろう。従って、システムの構成は、異なる実施形態においては変化していても良い。本願明細書において記載されているプロセスは、プログラムされたプロセッサの制御下で実行され得る一方で、別の実施形態においては、フィールド・プログラマブル・ゲート・アレイ（ＦＰＧＡｓ）、ＴＴＬロジック、または特定用途向け集積回路（ＡＳＩＣ）等の任意のプログラマブルまたはハードコーデッド・ロジックによって、その全部または一部が実行されて良い事に注目されたい。加えて、本方法は、プログラムされた汎用コンピュータコンポーネントおよび／またはカスタム・ハードウェアコンポーネントの任意の組み合わせによって実行されて良い。
【００８２】
データ収集操作の後、データは通常データ分析操作へと送られる。分析操作を容易にするために、検出ユニット１２によって得られるデータは、通常はデジタルコンピュータを使用して分析される。一般的にコンピュータは、検出ユニット１２からデータの受取りおよび格納のため、そして同様に、データの解析および報告のために、適切にプログラムされる。これは、特定の実施形態において、ラマン・データから反応室１１のヌクレオチド前駆体１７の濃度を決定する事と、バックグラウンド・ラマン信号を減算する事を含む。
【００８３】
特定の実施形態において、情報処理・制御システムは、反応室１１に導入されるヌクレオチド前駆体１７の量を制御することができる。このような実施形態において、発生期の鎖１６のヌクレオチド前駆体１７の取込みの速度と分子ディスペンサ２１によるヌクレオチド前駆体１７の放出の速度とを略一致させるべく制御するために、情報処理・制御システムは、検出ユニット１２と分子ディスペンサ２１との間に接続される。
【００８４】
特定の実施形態において、専用設計されたソフトウェアパッケージが、検出ユニット１２から得られるデータを分析するために用いることが出来る。他の実施形態において、情報処理・制御システムおよび市販されているソフトウェアパッケージを使用する事によってデータ分析が実行されても良い。ＤＮＡの塩基配列解析のための利用可能なソフトウェアとして、ＰＲＩＳＭ（登録商標）ＤＮＡシークエンシング分析ソフトウェア（アプライド・バイオシステムズ社、フォスターシティー、カリフォルニア州）、Ｓｅｑｕｅｎｃｈｅｒ（登録商標）パッケージ（Ｇｅｎｅ  Ｃｏｄｅｓ社、アナーバー、ミシガン州）、および、Ｎａｔｉｏｎａｌ  Ｂｉｏｔｅｃｈｎｏｌｏｇｙ  Ｉｎｆｏｒｍａｔｉｏｎ  Ｆａｃｉｌｉｔｙのウェブサイトｗｗｗ．ｎｂｉｆ．ｏｒｇ／ｌｉｎｋｓ／１．４．１．ｐｈｐを通して入手可能な様々なソフトウェアパッケージが含まれるが、これらに限定されない。
【図面の簡単な説明】
【００８５】
【図１】核酸の合成の間、溶液からのヌクレオチド前駆体１７の取込みを監視することによって核酸１３がシークエンシングされるＤＮＡシークエンシング用の典型的な装置１０および方法を示す（縮尺は均等ではない）。
【国際公開パンフレット】
2005507656.tif 000002
2005507656.tif 000003
2005507656.tif 000004
2005507656.tif 000005
2005507656.tif 000006
2005507656.tif 000007
2005507656.tif 000008
2005507656.tif 000009
2005507656.tif 000010
2005507656.tif 000011
2005507656.tif 000012
2005507656.tif 000013
2005507656.tif 000014
2005507656.tif 000015
2005507656.tif 000016
2005507656.tif 000017
2005507656.tif 000018
2005507656.tif 000019
2005507656.tif 000020
2005507656.tif 000021
2005507656.tif 000022
2005507656.tif 000023
2005507656.tif 000024
2005507656.tif 000025
2005507656.tif 000026
2005507656.tif 000027
2005507656.tif 000028
2005507656.tif 000029
2005507656.tif 000030
2005507656.tif 000031
2005507656.tif 000032
【国際公開パンフレット（コレクトバージョン）】
2005507656.tif 000033
【国際調査報告】
2005507656.tif 000034